(57)【要約】      （修正有）【課題】接続線の挟み込みの可能性を低減する電子部品モジュール、電子部品モジュールと筐体との取付構造及びこれを備えた制御装置を提供する。【解決手段】電子部品モジュールは、フレームと、フレーム内に収容又はフレームに固定された機能部１００と、可撓性を有し且つ機能部１００に電気的に接続された少なくとも一つの接続線３００と、少なくとも一つの突起５００とを備えている。フレームは、当接面２０１と、当接面２０１の端からＺ方向側に立ち上がった外面２０２と、当接面２０１と外面２０２との交線２０３とを有する。接続線３００は、当接面２０１に対してＺ’方向側に配置され且つＹ方向において交線２０３の内側から外側へ導出される。突起５００は、機能部１００又はフレームに設けられ、Ｙ方向において交線２０３の内側から外側に延び、且つＹ方向に導出させた状態の接続線３００に対して少なくとも部分的にＺ方向側に配置されている。【選択図】図１Ｃ
2020150122.tif 000002
【特許請求の範囲】
【請求項１】
当接面、前記当接面の端から当該当接面に略直交する第１方向側に立ち上がった外面、及び前記当接面と前記外面との交線を有するフレーム又は基板である被固定部と、
前記被固定部内に収容又は前記被固定部に固定されており、且つ電子部品としての機能を発揮する機能部と、
可撓性を有し且つ前記機能部に電気的に接続された少なくとも一つの接続線と、
少なくとも一つの突起とを備えており、
前記少なくとも一つの接続線は、前記フレームの前記当接面に対して前記第１方向の反対方向である第２方向側に配置されており且つ前記第１方向及び前記第２方向に交差する第３方向において前記フレームの前記交線の内側から外側へ導出されるようになっており、
前記少なくとも一つの突起は、前記機能部又は前記フレームに設けられており、前記第３方向において少なくとも部分的に延びており、且つ前記第３方向に導出させた状態の前記少なくとも一つの接続線に対して少なくとも部分的に前記第１方向側に配置されている電子部品モジュール。
【請求項２】
請求項１記載の電子部品モジュールにおいて、
前記少なくとも一つの突起は、前記第３方向に導出させた状態の前記少なくとも一つの接続線に対して部分的に前記第２方向側に配置されている電子部品モジュール。
【請求項３】
請求項１又は２記載の電子部品モジュールにおいて、
前記少なくとも一つの突起は、前記第３方向において前記被固定部の前記交線の内側から外側に延びている電子部品モジュール。
【請求項４】
請求項１〜３の何れかに記載の電子部品モジュールにおいて、
前記被固定部は、前記当接面、前記外面及び前記交線を有するフランジを更に有している電子部品モジュール。
【請求項５】
請求項１〜４の何れかに記載の電子部品モジュールにおいて、
前記当接面に対して前記第２方向側に配置された保持部を更に備えており、
前記保持部は、前記少なくとも一つの接続線が前記第３方向において前記交線の内側から外側へ導出されるように、前記少なくとも一つの接続線を部分的に保持しており、
前記少なくとも一つの接続線は、前記保持部に保持される被保持部を有しており、
前記少なくとも一つの突起は、前記少なくとも一つの接続線の前記被保持部の近傍で、前記少なくとも一つの接続線の前記被保持部に対して少なくとも部分的に前記第１方向側に配置されている電子部品モジュール。
【請求項６】
請求項１〜５の何れかに記載の電子部品モジュールにおいて、
前記少なくとも一つの接続線は、複数であり、
前記少なくとも一つの突起が前記複数の接続線の間に配置されている電子部品モジュール。
【請求項７】
請求項１〜５の何れかに記載の電子部品モジュールにおいて、
前記少なくとも一つの突起は、二つであって、前記少なくとも一つの接続線の両側に配置されている電子部品モジュール。
【請求項８】
請求項１〜７の何れかに記載の電子部品モジュールにおいて、
前記少なくとも一つの突起は、前記当接面に対向する対向面を有しており、前記少なくとも一つの突起の前記対向面は、当該対向面と前記当接面との間の距離が前記第３方向にいくにしたがって漸次増大するように、湾曲又は傾斜している電子部品モジュール。
【請求項９】
請求項１〜８の何れかに記載の電子部品モジュールと、
筐体とを備えており、
前記筐体は、前記第１方向側に開口した収容孔と、
前記収容孔の前記第１方向側の第１縁部と、
前記収容孔の前記第２方向側の第２縁部とを有しており、
前記電子部品モジュールが前記収容孔に前記第１方向側から部分的に収容され、前記電子部品モジュールの前記当接面が前記収容孔の前記第１縁部に前記第１方向側から当接した状態で、前記第１縁部及び前記第２縁部が、前記当接面と前記少なくとも一つの突起との間に位置する電子部品モジュールと筐体との取付構造。
【請求項１０】
請求項１〜８の何れかに記載の電子部品モジュールと、
筐体とを備えており、
前記筐体は、前記第１方向側に開口した収容孔と、
前記収容孔の前記第１方向側の第１縁部と、
前記収容孔の側壁に設けられており且つ前記第１縁部に対して前記第２方向側に位置する少なくとも一つの係合部とを有しており、
前記電子部品モジュールが前記収容孔に前記第１方向側から部分的に収容され、前記電子部品モジュールの前記当接面が前記収容孔の前記第１縁部に前記第１方向側から当接した状態で、前記第１縁部及び前記係合部が、前記当接面と前記少なくとも一つの突起との間に位置する電子部品モジュールと筐体との取付構造。
【請求項１１】
請求項９又は１０記載の電子部品モジュールと筐体との取付構造と、
前記筐体に対して前記第２方向側に配置されており且つ前記電子部品モジュールの少なくとも一つの接続線に接続された主基板と、
前記主基板上に実装されており、且つ前記主基板及び前記少なくとも一つの接続線を介して前記電子部品モジュールの前記機能部に対して信号を出力及び／又は前記機能部からの信号を受信する制御部とを備えている制御装置。
【発明の詳細な説明】
【技術分野】
【０００１】
本発明は、電子部品モジュール、電子部品モジュールと筐体との取付構造及びこれを備えた制御装置に関する。
【背景技術】
【０００２】
下記特許文献１には、従来の制御装置が記載されている。この装置は、車両用情報提供装置であって、スピーカーモジュールと、筐体と、基板と、制御部とを備えている。スピーカーモジュールは、スピーカー本体と、このスピーカー本体が固定されたフレームと、スピーカー本体に接続された接続線とを有している。このスピーカー本体が筐体の開口内に配置されると共に、フレームが筐体の開口の縁部に固定されている。基板は、筐体内に配置されており且つ接続線が接続されている。制御部は、基板上に実装されており、且つ基板及び接続線を介してスピーカー本体の駆動を制御している。
【先行技術文献】
【特許文献】
【０００３】
【特許文献１】特開２０１１−８８６０９号公報
【発明の概要】
【発明が解決しようとする課題】
【０００４】
従来の制御装置では、接続線は、スピーカー本体に電気的且つ機械的に接続され、当該スピーカー本体から垂れ下がっている。このため、スピーカー本体を筐体の開口内に配置すると共に、フレームを筐体の縁部に固定するときに、接続線の一部がフレームと筐体の縁部との間に入り込むと、フレームと筐体の縁部との間に挟まる恐れがある。
【０００５】
本発明は、接続線の挟み込みの可能性を低減できる電子部品モジュール、電子部品モジュールと筐体との取付構造及びこれを備えた制御装置を提供する。
【課題を解決するための手段】
【０００６】
上記課題を解決するために、本発明の一態様の電子部品モジュールは、フレーム又は基板である被固定部と、電子部品としての機能を発揮する機能部と、少なくとも一つの接続線と、少なくとも一つの突起とを備えている。被固定部は、当接面と、この当接面の端から当該当接面に略直交する第１方向側に立ち上がった外面と、当接面と外面との交線とを有している。機能部は、被固定部内に収容又は被固定部に固定されている。少なくとも一つの接続線は、可撓性を有し且つ機能部に電気的に接続されている。少なくとも一つの接続線は、被固定部の当接面に対して第２方向側に配置されており且つ第３方向において被固定部の交線の内側から外側へ導出される。第２方向は、第１方向の反対方向である。第３方向は、第１方向及び第２方向に交差している。少なくとも一つの突起は、機能部又は被固定部に設けられており、第３方向において少なくとも部分的に延びており、且つ第３方向に導出させた状態の少なくとも一つの接続線に対して少なくとも部分的に第１方向側に配置されている。
【０００７】
このような態様の電子部品モジュールによる場合、電子部品モジュールを、少なくとも一つの突起が筐体の収容孔の第２方向側の第２縁部又は収容孔の側壁に設けられた少なくとも一つの係合部へ向くように傾斜させ、その状態で、少なくとも一つの接続線を収容孔内に挿入させ、その後、少なくとも一つの突起を収容孔内に挿入させて、筐体の第２縁部又は係合部に対して第２方向側に配置させ、この状態を維持しつつ、電子部品モジュールを収容孔内に部分的に収容させると共に、電子部品モジュールの当接面を第１縁部に当接させる。このようにすれば、少なくとも一つの突起が第３方向に導出させた状態の少なくとも一つの接続線に対して少なくとも部分的に第１方向側に配置されているので、少なくとも一つの接続線が当接面と筐体の第１縁部との間及び／又は電子部品モジュールと収容孔の側壁との間に挟み込まれる可能性が低減される。
一方、前述の通り、電子部品モジュールを傾斜させずに、当接面を筐体の第１縁部に対して第１方向側から当接させるようとすると、少なくとも一つの接続線が当接面と筐体の第１縁部との間に挟み込まれる前に、少なくとも一つの突起が、筐体の第１縁部に当接する。なぜなら、少なくとも一つの突起が、第３方向に導出された状態の少なくとも一つの接続線に対して少なくとも部分的に第１方向側に配置されているからである。よって、少なくとも一つの接続線が当接面と筐体の第１縁部との間に挟み込まれる可能性が低減される。
【０００８】
少なくとも一つの突起は、第３方向に導出された状態の少なくとも一つの接続線に対して部分的に第２方向側に配置された構成とすることが可能である。このような態様の電子部品モジュールによる場合、電子部品モジュールを傾斜させずに当接面を筐体の第１縁部に対して第１方向側から当接させるようとすると、少なくとも一つの突起が、少なくとも一つの接続線よりも先に筐体の第１縁部に当接し易くなる。なぜなら、少なくとも一つの突起が、第３方向に導出された状態の少なくとも一つの接続線に対して部分的に第１方向側に配置されているからである。よって、少なくとも一つの接続線が当接面と筐体の第１縁部との間に挟み込まれる可能性がより低減される。
【０００９】
少なくとも一つの突起は、第３方向において被固定部の交線の内側から外側に延びた構成とすることが可能である。このような態様の電子部品モジュールによる場合、電子部品モジュールを傾斜させずに当接面を筐体の第１縁部に対して第１方向側から当接させるようとすると、少なくとも一つの接続線が当接面と筐体の第１縁部との間に挟み込まれる前に、少なくとも一つの突起が筐体の第１縁部に当接し易くなる。なぜなら、少なくとも一つの突起が、第３方向に導出された状態の少なくとも一つの接続線に対して第３方向において被固定部の交線の内側から外側に延びているからである。
【００１０】
被固定部は、フランジを更に有し、このフランジが、当接面、外面及び交線を有する構成とすることが可能である。
【００１１】
上記何れかの態様の電子部品モジュールは、当接面に対して第２方向側に配置された保持部を更に備えた構成とすることが可能である。保持部は、少なくとも一つの接続線が第３方向において交線の内側から外側へ導出されるように、少なくとも一つの接続線を部分的に保持する構成とすることが可能である。少なくとも一つの接続線は、保持部に保持される被保持部を有する構成とすることが可能である。少なくとも一つの突起は、少なくとも一つの接続線の被保持部の近傍で、少なくとも一つの接続線の被保持部に対して少なくとも部分的に第１方向側に配置された構成とすることが可能である。
【００１２】
このような態様の電子部品モジュールによる場合、少なくとも一つの突起が、少なくとも一つの接続線の被保持部の近傍で、少なくとも一つの接続線の被保持部に対して少なくとも部分的に第１方向側に配置されているので、上記の通り、電子部品モジュールを傾斜させて当接面を筐体の第１縁部に対して第１方向側から当接させるときに、少なくとも一つの接続線が当接面と筐体の第１縁部との間及び／又は電子部品モジュールと収容孔の側壁との間に挟み込まれる可能性がより低減される。
【００１３】
少なくとも一つの接続線は、複数とすることが可能である。この場合、少なくとも一つの突起は、複数の接続線の間に配置されていても良い。
【００１４】
少なくとも一つの突起は、二つとすることが可能である。この場合、二つの突起は、少なくとも一つの接続線の両側に配置されていても良い。
【００１５】
少なくとも一つの突起は、当接面に対向する対向面を有し、この対向面は、当該対向面と当接面との間の距離が第３方向にいくにしたがって漸次増大するように、湾曲又は傾斜する構成とすることが可能である。このような態様の電子部品モジュールによる場合、少なくとも一つの突起を収容孔内に挿入させて、筐体の第２縁部又は係合部の第２方向側に配置させ易くなる。
【００１６】
本発明の一態様の電子部品モジュールと筐体との取付構造は、上記何れかの態様の電子部品モジュールと、筐体とを備えている。筐体は、第１方向側に開口した収容孔と、収容孔の第１方向側の第１縁部と、収容孔の第２方向側の第２縁部又は収容孔の側壁に設けられ且つ第１縁部に対して第２方向側に位置する少なくとも一つの係合部とを有する構成とすることが可能である。電子部品モジュールが収容孔に第１方向側から部分的に収容され、電子部品モジュールの当接面が収容孔の第１縁部に第１方向側から当接した状態で、第１縁部及び第２縁部、又は、第１縁部及び係合部が、当接面と少なくとも一つの突起との間に位置する。このような態様の取付構造による場合、上記何れかの態様の電子部品モジュールと同様の効果を奏する。
【００１７】
本発明の一態様の制御装置は、上記何れかの態様の取付構造と、主基板と、この主基板上に実装された制御部とを備えている。主基板は、筐体に対して第２方向側に配置されており且つ電子部品モジュールの少なくとも一つの接続線に接続されている。制御部は、主基板及び少なくとも一つの接続線を介して電子部品モジュールの機能部に対して信号を出力及び／又は機能部からの信号を受信する構成となっている。
【図面の簡単な説明】
【００１８】
【図１Ａ】本発明の実施例１に係る電子部品モジュールと筐体との取付構造の正面、平面及び右側面から表した斜視図である。
【図１Ｂ】前記取付構造の正面、底面及び左側面から表した斜視図である。
【図１Ｃ】前記取付構造の図１Ａ中の１Ｃ−１Ｃ断面図である。
【図２Ａ】前記取付構造の背面、平面及び左側面から表した斜視図であって、前記電子部品モジュールを前記筐体に取り付ける前の状態を示す図である。
【図２Ｂ】前記取付構造の正面、底面及び左側面から表した斜視図であって、前記電子部品モジュールを前記筐体に取り付ける前の状態を示す図である。
【図３Ａ】前記電子部品モジュールの図２Ａ中の３Ａ−３Ａ拡大断面図である。
【図３Ｂ】前記電子部品モジュールの図２Ａ中の３Ｂ−３Ｂ拡大断面図である。
【図４Ａ】前記電子部品モジュールの背面、平面及び左側面から表した分解斜視図である。
【図４Ｂ】前記電子部品モジュールの正面、底面及び左側面から表した分解斜視図である。
【図５】前記取付構造の第１設計変更例を示す図１Ｃに対応する断面図である。
【図６】前記取付構造の第２設計変更例を示す正面、底面及び左側面から表した斜視図であって、前記電子部品モジュールを前記筐体に取り付ける前の状態を示す図である。
【図７】本発明の実施例１に係る制御装置の概略的断面図である。
【図８】本発明の実施例２に係る電子部品モジュールと筐体との取付構造の概略的断面図である。
【発明を実施するための形態】
【００１９】
以下、本発明の種々の実施例について説明する。なお、後述する実施例及び設計変更例の各要素は、互いに矛盾しない限り、相互に組み合わせることが可能であることに留意されたい。
【実施例１】
【００２０】
以下、本発明の実施例１を含む複数の実施例に係る取付構造Ｓついて、図１Ａ〜図６を参照しつつ説明する。図１Ａ〜図４Ｂには、実施例１の取付構造Ｓが示されている。図５には、実施例１の取付構造Ｓの第１設計変更例が示されている。図６には、実施例１の取付構造Ｓの第２設計変更例が示されている。
【００２１】
取付構造Ｓは、筐体１０と、この筐体１０に取り付けられる電子部品モジュールＭ（以下、単にモジュールＭとも称する。）とを備えている。なお、図１Ｃ〜図３Ａ及び図４Ａ〜図６には、Ｚ−Ｚ’方向が示されている。Ｚ−Ｚ’方向は、Ｚ方向と、その反対方向であるＺ’方向とを含む。Ｚ方向は、特許請求の範囲の第１方向に相当し、Ｚ’方向は、特許請求の範囲の第２方向に相当する。図１Ｃ〜図３Ａ及び図４Ａ〜図６には、Ｚ−Ｚ’方向に略直交するＹ−Ｙ’方向が示されている。Ｙ−Ｙ’方向は、Ｙ方向と、その反対方向であるＹ’方向とを含む。Ｙ方向は、特許請求の範囲の第３方向に相当する。図２Ａ〜図２Ｂ、図４Ａ〜図４Ｂ及び図６には、Ｙ−Ｙ’方向及びＺ−Ｚ’方向に直交するＸ−Ｘ’方向が示されている。
【００２２】
筐体１０は、収容孔１１と、収容孔１１のＺ方向側の第１縁部１２ａを有している。収容孔１１は、筐体１０をＺ−Ｚ’方向に貫通した貫通孔であっても良いし（図１Ｃ〜図２Ｂ参照）、Ｚ方向に開口した有底孔であっても良い。
収容孔１１が貫通孔である場合、筐体１０は、収容孔１１のＺ’方向側の第２縁部１２ｂを更に有する構成（図１Ｃ参照）、又は、収容孔１１の側壁に設けられた少なくとも一つの係合部を更に有する構成とすることが可能である。少なくとも一つの係合部は、例えば、収容孔１１の側壁に設けられた係合孔１３のＺ方向側の第３縁部１４（図５参照）とすることが可能である。少なくとも一つの係合孔１３及びその第３縁部１４は、第１縁部１２ａに対してＺ’方向側に配置されている。
収容孔１１が有底孔である場合、筐体１０は、前述の少なくとも一つの係合孔１３及びその第３縁部１４を更に有する構成とすると良い。
なお、少なくとも一つの係合孔１３及びその第３縁部１４は、複数とすることが可能である。
【００２３】
モジュールＭは、モジュールＭとしての機能を発揮する機能部１００を備えている。機能部１００は、例えば、図１Ａ〜図６に示すスピーカー、マイクロホン、センサ、コネクタ、能動部品、受動部品及び／又は基板等の機能を発揮する構成とすることが可能である。センサは、タッチパネル、加速度センサ、タッチスイッチ又は人感センサ等である。能動部品は、半導体や電気モータ等である。受動部品は、抵抗器、コンデンサ、コイル、トランス、リレー、圧電素子、振動子等である。
【００２４】
図１Ａ〜図６では、機能部１００は、振動体１１０と、磁気回路１２０とを有している。振動体１１０は、振動部１１１と、コイルボビン１１２と、ボイスコイル１１３とを有している。振動部１１１は、紙、合成樹脂、金属又はセラミックス等で構成された薄板である。コイルボビン１１２は、円筒であって、振動部１１１に固定され且つ振動部１１１に対してＺ’方向側に配置されている。ボイスコイル１１３は、コイルボビン１１２の外周面に固定されている。磁気回路１２０は、振動部１１１に対してＺ’方向側に配置されている。磁気回路１２０は、磁石１２１、ヨーク１２２及びポールピース１２３を有する。ヨーク１２２は、有底の円筒であって、底部と、この底部の外周端からＺ−Ｚ’方向に立ち上がった円筒状の側壁とを有する。磁石１２１は、ヨーク１２２の底部上に配置されている。ポールピース１２３は、磁石１２１上に載置され且つヨーク１２２内に配置されている。磁石１２１及びポールピース１２３と、ヨーク１２２の側壁との間には、円筒状の磁気ギャップＧが形成されている。この磁気ギャップＧ内にコイルボビン１１２及びボイスコイル１１３が配置されている。
【００２５】
モジュールＭは、フレーム２００（被固定部）を更に備えている。フレーム２００は、合成樹脂などで構成されている。このフレーム２００内に機能部１００が収容される構成とすることが可能である。例えば、フレーム２００は、以下の（１）〜（３）の何れかの態様の収容部Ａを有する構成とすることが可能である。
（１）フレーム２００は、Ｚ−Ｚ’方向において組み合わせ可能な第１フレーム２１０及び第２フレーム２２０を有する（図１Ａ〜図６参照）。組み合わせられた第１フレーム２１０及び第２フレーム２２０は、接着剤などで固定されている。第１フレーム２１０及び／又は第２フレーム２２０には、収容部Ａが設けられている。この収容部Ａ内に、機能部１００が収容されている。
なお、図１Ａ〜図４Ｂでは、第１フレーム２１０及び第２フレーム２２０は、更に以下の構成を備えているが、これに限定されるものではない。
第１フレーム２１０には、Ｚ’方向に開口した第１収容凹部２１１が設けられている。
第２フレーム２２０には、Ｚ方向に開口し且つ第１収容凹部２１１に連通する第２収容凹部２２１が設けられている。この第２収容凹部２２１の底部には、円柱状の開口２２２が設けられている。第１収容凹部２１１、第２収容凹部２２１及び開口２２２が収容部Ａを構成している。第１フレーム２１０の第１収容凹部２１１の周縁部と第２フレーム２２０の第２収容凹部２２１の周縁部とに機能部１００の振動部１１１の外周のエッジが挟持され、振動部１１１が第１収容凹部２１１内に収容されている。コイルボビン１１２及びボイスコイル１１３は、第２収容凹部２２１及び開口２２２内に収容され、開口２２２内に配置された磁気回路１２０の磁気ギャップＧ内に挿入されている。磁気回路１２０のヨーク１２２の側壁は、開口２２２の内壁に接着剤Ｒ等によって直接固定されていていても良いし（図１Ｃ及び図３Ａ〜図４Ｂ参照）、開口２２２の内壁と磁気回路１２０のヨーク１２２の側壁との間に別部材が介在することによって、開口２２２の内壁に磁気回路１２０のヨーク１２２の側壁が間接的に固定されていても良い。なお、図１Ｃでは、接着剤Ｒが図示省略されている。
（２）フレーム２００の収容部Ａは、Ｚ’方向に開口した有底孔とすることが可能である。機能部１００は、フレーム２００の収容部Ａ内に収容されている。
（３）機能部１００は、インサート成形等によってフレーム２００内に収容されていていても良い。この場合、フレーム２００の機能部１００が埋め込まれた部分が収容部Ａとなる。
他方で、機能部１００は、フレーム２００内に収容される構成ではなく、フレーム２００に固定された構成とすることも可能である。
【００２６】
フレーム２００は、本体部と、少なくとも一つのフランジ２３０とを有する構成とすることが可能である。本体部のＺ−Ｚ’方向の寸法は、少なくとも一つのフランジ２３０のＺ−Ｚ’方向の寸法よりも大きい。
【００２７】
機能部１００がフレーム２００内に収容されている場合、本体部は、例えば、以下の通り、フレーム２００のうちの機能部１００が収容される部分の少なくとも一部を有する構成とすることが可能である。
フレーム２００が上記（１）の構成である場合、第１フレーム２１０及び第２フレーム２２０の少なくとも一方が本体部を有する。第１フレーム２１０が本体部を有する場合、本体部は第１フレーム２１０が機能部１００を収容する部分（例えば、第１収容凹部２１１）を有する構成とすることが可能である。第２フレーム２２０が本体部を有する場合、本体部は第２フレーム２２０が機能部１００を収容する部分（例えば、第２収容凹部２２１及び開口２２２）を有する構成とすることが可能である。第１フレーム２１０及び第２フレーム２２０が本体部を有する場合、本体部が収容部Ａを有する構成とすると良い。
フレーム２００が上記（２）又は上記（３）の構成である場合、本体部が収容部Ａを有する構成とすると良い。
【００２８】
機能部１００がフレーム２００に固定される場合、本体部は、フレーム２００のうちの機能部１００が固定される部分を有する構成とすることが可能である。
【００２９】
少なくとも一つのフランジ２３０は、本体部から少なくともＹ方向に延びている。例えば、少なくとも一つのフランジ２３０は、以下の（ａ）〜（ｄ）の何れかの構成とすることが可能である。
（ａ）フランジ２３０は一つであって、本体部からＹ方向に延びている。
（ｂ）フランジ２３０が複数であり、そのうちの一つのフランジ２３０が本体部からＹ方向に延び、残り一又は複数のフランジ２３０が本体部からＺ−Ｚ’方向に略直交する複数の方向（但し、Ｙ方向を除く。）のうちの何れかの方向に延びている。
（ｃ）フランジ２３０は一つであって、本体部からＺ−Ｚ’方向に略直交する方向に延びた略環状体２３１を有している。
（ｄ）フランジ２３０は、略環状体２３１と、この略環状体からＺ−Ｚ’方向に略直交する複数の方向のうちの何れかの方向に延びた少なくとも一つの延長部とを有している。
なお、図１Ａ〜図４Ｂでは、フランジ２３０は、略環状体２３１と、延長部２３２と、三つの延長部２３３とを有している。三つの延長部２３３は、略環状体に１２０°間隔で設けられている。延長部２３２は、三つの延長部２３３の内の二つの延長部２３３の間に位置し且つ略環状体２３１からＹ方向に延びている。
【００３０】
フレーム２００は、当接面２０１、外面２０２と、当接面２０１と外面２０２との交線２０３を更に有する。当接面２０１は、フレーム２００の筐体１０の第１縁部１２ａにＺ方向側から当接可能な面である。当接面２０１が筐体１０の第１縁部１２ａに当接した状態で、フレーム２００が第１縁部１２ａに固定されるようになっている。その固定手段としては、例えば、ネジ止め、接着剤又は両面テープなどによる接着、及び／又は、嵌め合いなどである。嵌め合いは、当接面２０１及び第１縁部１２ａの何れか一方に設けられた一又は複数の嵌合凸部が他方に設けられた一又は複数の嵌合凹部に嵌合することである。外面２０２は、当接面２０１の端からＺ方向側に立ち上がったフラット面、円弧面、凹面、凸面又は凹凸面等であって、Ｙ方向に面している。外面２０２は、当接面２０１に対して直角であっても良いし、Ｚ方向及びＹ方向の成分を含む方向（以下、ＺＹ方向とも称する。）又はＺ方向及びＹ’方向の成分を含む方向（以下、ＺＹ’方向とも称する。）に傾斜していても良い。なお、Ｚ−Ｚ’方向は、当接面２０１に略直交している。
【００３１】
フレーム２００が少なくとも一つのフランジ２３０を有していない場合、フレーム２００の外周部が上記当接面２０１、外面２０２及び交線２０３を有する構成とすることが可能である。
【００３２】
フレーム２００が少なくとも一つのフランジ２３０を有する場合、少なくとも一つのフランジ２３０は、上記当接面２０１、外面２０２及び交線２０３を有する構成とすることが可能である。具体的には以下の通りである。
少なくとも一つのフランジ２３０が上記（ａ）又は上記（ｃ）の構成である場合、フランジ２３０は、当接面２０１、外面２０２及び交線２０３を有する。
少なくとも一つのフランジ２３０が上記（ｂ）の構成である場合、少なくともＹ方向に延びたフランジ２３０が、当接面２０１、外面２０２及び交線２０３を有する。
少なくとも一つのフランジ２３０が上記（ｄ）の構成である場合、略環状体２３１が当接面２０１、外面２０２及び交線２０３を有する構成、少なくとも一つの延長部が当接面２０１、外面２０２及び交線２０３を有する構成、又は、略環状体２３１及び少なくとも一つの延長部が当接面２０１を有し、少なくとも一つの延長部が外面２０２及び交線２０３を有する構成とすることが可能である。
なお、図１Ａ〜図４Ｂでは、フランジ２３０の略環状体２３１、延長部２３２及び三つの延長部２３３が当接面２０１を有しており、延長部２３２が外面２０２及び交線２０３を有している。
【００３３】
モジュールＭは、少なくとも一つの接続線３００を更に備えている。少なくとも一つの接続線３００は、例えば、自重で垂れ下がる程度の可撓性を有するケーブル、リード線又はコード等であって、機能部１００に電気的に接続されている。少なくとも一つの接続線３００は、機能部１００に直接的に接続されていても良いし、フレーム２００に保持された端子やピン等の導電接続部を介して機能部１００に間接的に接続されていても良い。少なくとも一つの接続線３００は、当接面２０１に対してＺ’方向側に配置されており且つＹ方向において交線２０３の内側から外側へ導出可能になっている。少なくとも一つの接続線３００の数については、機能部１００の種類に応じて一又は複数を適宜選択すると良い。
なお、図１Ａ〜図４Ｂでは、接続線３００は二つであって、フレーム２００の第２フレーム２２０にインサート成形によって埋め込まれ、且つ第２フレーム２２０に保持された一対の端子４００にそれぞれ接続され、端子４００がボイスコイル１１３から引き出された一対のリード線１１３ａにそれぞれ接続されている。
【００３４】
モジュールＭは、保持部６００を更に備えていても良い。保持部６００は、機能部１００又はフレーム２００に一体的に設けられていても良いし、機能部１００又はフレーム２００と別体であって、機能部１００又はフレーム２００に上記固定手段で固定されることによって設けられていても良い。保持部６００は、フレーム２００の当接面２０１に対してＺ’方向側に配置されており、且つ一又は複数の接続線３００がＹ方向においてフレーム２００の交線２０３の内側から外側へ導出されるように、一又は複数の接続線３００を部分的に保持している。例えば、保持部６００には、Ｙ−Ｙ’方向に貫通し且つ一又は複数の接続線３００がＹ−Ｙ’方向において挿通される一又は複数の貫通孔が設けられた構成とすることが可能である。又は、保持部６００は、そのＺ’方向の端面である接着面を有しており、一又は複数の接続線３００がＹ方向において交線２０３の内側から外側へ導出されるように、一又は複数の接続線３００の一部が保持部６００の接着面に上記固定手段で固定されていても良い。
図１Ａ〜図４Ｂでは、保持部６００は、当接面２０１に一体的に設けられており、この保持部６００には、接続線３００の数に合わせて、貫通孔が二つ設けられている。
なお、以下、説明の便宜上、少なくとも一つの接続線３００の保持部６００に保持される部分を被保持部３１０と称する。保持部６００は省略可能である。
【００３５】
モジュールＭは、少なくとも一つの突起５００を更に備えている。少なくとも一つの突起５００は、機能部１００又はフレーム２００に一体的に設けられていても良いし、機能部１００又はフレーム２００と別体であって、機能部１００又はフレーム２００に上記固定手段で固定されることによって設けられていても良い。少なくとも一つの突起５００は、例えば、以下の（ア）〜（ウ）の何れかの構成を有していても良い。
（ア）フレーム２００が本体部を有している場合、少なくとも一つの突起５００は、本体部のＹ方向側の外面又はＺ’方向側の外面に設けられている。
（イ）少なくとも一つの突起５００は、フレーム２００の当接面２０１からＺ’方向に延びた第１部と、この第１部からＹ方向に延びた第２部とを有している。
（ウ）モジュールＭが保持部６００を備えている場合、少なくとも一つの突起５００は、保持部６００のＹ方向側の面（図１Ｃ及び図３Ａ参照）又はＺ’方向側の面に設けられている。この場合、少なくとも一つの突起５００は、少なくとも一つの接続線３００の被保持部３１０の近傍に位置している。
なお、モジュールＭが保持部６００を備えている場合であっても、少なくとも一つの突起５００は、少なくとも一つの接続線３００の被保持部３１０の近傍で、（ア）又は（イ）の構成を取り得る。
【００３６】
少なくとも一つの突起５００は、Ｙ方向に導出させた状態の一又は複数の接続線３００に対して少なくとも部分的にＺ方向側に配置されている。少なくとも一つの突起５００は、その最もＺ方向側の最上部を有している。最上部がＹ方向に導出させた状態の一又は複数の接続線３００に対してＺ方向側に配置されている。したがって、Ｙ方向に導出させた状態の一又は複数の接続線３００は、Ｚ−Ｚ’方向において、少なくとも一つの突起５００と当接面２０１との間に位置しない。
また、少なくとも一つの突起５００は、Ｙ方向に導出させた状態の一又は複数の接続線３００に対して部分的にＺ方向側に配置されていても良い。この場合、少なくとも一つの突起５００は、その最もＺ’方向側の最下部を有しており、最下部がＹ方向に導出させた状態の一又は複数の接続線３００に対してＺ’方向側に配置されている。換言すると、Ｙ方向に導出させた状態の一又は複数の接続線３００は、少なくとも一つの突起５００に対してＸ方向及びＸ’方向の少なくとも一方の隣に位置すると共に、Ｚ−Ｚ’方向において少なくとも一つの突起５００の最上部と最下部との間に位置している。
但し、最下部は、上記例に限定されず、Ｙ方向に導出させた状態の一又は複数の接続線３００のＺ’方向の端とＺ−Ｚ’方向において同じ高さ位置に位置していても良いし、Ｙ方向に導出させた状態の一又は複数の接続線３００に対してＺ方向側に配置されていても良い。
本発明における「Ｙ方向に導出させた状態の一又は複数の接続線３００」とは、一又は複数の接続線３００が、緊張状態（ピンと張った状態）でＹ方向に導出した状態のことである。
【００３７】
少なくとも一つの突起５００は、フレーム２００の当接面２０１からＺ’方向側に間隔をあけて配置されている。少なくとも一つの突起５００から当接面２０１でのＺ−Ｚ’方向の距離Ｄ１は、筐体１０の第１縁部１２ａのＺ方向側の面から第２縁部１２ｂまでの距離Ｄ２（図１Ｃ参照）又は第１縁部１２ａのＺ方向側の面から第３縁部１４までの距離Ｄ３（図５参照）と略同じ又は若干大きい。
【００３８】
少なくとも一つの突起５００は、Ｙ方向においてフレーム２００の交線２０３の内側から外側に延びた構成とすることが可能である。
フレーム２００の外面２０２の最もＹ方向側に位置する部分の位置が、交線２０３のＹ−Ｙ’方向の位置と同じ又は交線２０３に対してＹ’方向側に位置している場合（例えば、外面２０２が、当接面２０１からＺ方向に延びた垂直面である場合、当接面２０１からＺＹ’方向に傾斜した傾斜面である場合、Ｙ’方向側に凹んだ凹面である場合）、少なくとも一つの突起５００は、交線２０３だけでなく、外面２０２よりもＹ方向側に延びていていると良い。
外面２０２の最もＹ方向側に位置する部分の位置が、交線２０３に対してＹ方向側に位置している場合（例えば、外面２０２が、当接面２０１からＺＹ方向に傾斜した傾斜面である場合、Ｙ方向側に凸の円弧面又はＹ方向に凸の凸面である場合、又はＹ方向側に凸の凸部を有する凹凸面である場合）、少なくとも一つの突起５００のＹ方向側の先端が、外面２０２の最もＹ方向側に位置する部分よりもＹ’方向側又はＹ方向側に位置する構成とすることが可能である。
なお、少なくとも一つの突起５００のＹ方向側の先端が、フレーム２００の交線２０３から延びる図示しない仮想線上に位置していても良いし、前記仮想線よりも内側（Ｙ’方向側）に位置していても良い。
【００３９】
少なくとも一つの突起５００は、当接面２０１に対向する対向面５１０を更に有している。対向面５１０は、対向面５１０と当接面２０１との間の距離がＹ方向にいくにしたがって漸次増大するように、湾曲又は傾斜していていても良い。この場合、少なくとも一つの突起５００の最上部は、対向面５１０のＹ’方向側の端である。対向面５１０は、前述の通り湾曲又は傾斜しておらず、当接面２０１に対して略平行な平坦面であっても構わない。この場合、少なくとも一つの突起５００の最上部は、対向面５１０全体となる。
【００４０】
なお、図１Ａ〜図４Ｂでは、突起５００は、一つであって、保持部６００のＹ方向側の端面から交線２０３の外側へＹ方向に延びており、二つの接続線３００の間に位置し、突起５００の対向面５１０のＹ’方向側の端（最上部）が二つの接続線３００の被保持部３１０よりもＺ方向側に位置し、且つ突起５００のＺ’方向側の面（最下部）が二つの接続線３００の被保持部３１０よりもＺ’方向側に位置している。
【００４１】
少なくとも一つの突起５００は、複数とすることが可能である。筐体１０が第２縁部１２ｂを備えている場合、突起５００は、一又は複数であって、第２縁部１２ｂに対してＺ’方向側に配置可能になっている。筐体１０が一つの係合孔１３及びその第３縁部１４を備えている場合、突起５００は、一又は複数であって、筐体１０の一つの係合孔１３に挿入され、その第３縁部１４に対してＺ’方向側に配置可能なっている。筐体１０が複数の係合孔１３及びその第３縁部１４を備えている場合、突起５００は、複数であって、筐体１０の複数の係合孔１３に各々挿入され、その第３縁部１４に対してＺ’方向側に各々配置可能となっている。
【００４２】
突起５００が二つである場合、二つの突起５００は、Ｘ−Ｘ’方向に間隔をあけて配置されており且つ一又は複数の接続線３００の両側に配置されていても良い（図６参照）。換言すると、一又は複数の接続線３００が、二つの突起５００の間に配置されていても良い。
【００４３】
以下、一又は複数であるの突起５００を備えたモジュールＭを、収容孔１１、第１縁部１２ａ及び第２縁部１２ｂを備えた筐体１０に取り付ける方法について説明する。以下、この方法を第１取付方法とも称する。
筐体１０及びモジュールＭを用意する。モジュールＭを、一又は複数の突起５００が筐体１０の第２縁部１２ｂのＺ’方向側へ向くようにＺ’方向及びＹ方向の成分を含む方向（以下、Ｚ’Ｙ方向とも称する。）に傾斜させ、その状態で、モジュールＭの自重で垂れ下がった一又は複数の接続線３００を筐体１０の収容孔１１内に挿入させる。その後、一又は複数の突起５００を、筐体１０の収容孔１１内に挿入させ、且つ筐体１０の第２縁部１２ｂのＺ’方向側に配置させる。この状態を維持しつつ、モジュールＭを筐体１０の収容孔１１内に部分的に収容させると共に、モジュールＭのフレーム２００の当接面２０１を筐体１０の収容孔１１の第１縁部１２ａに当接させる。これにより、第１縁部１２ａ及び第２縁部１２ｂが、当接面２０１と一又は複数の突起５００との間に位置する。その後、モジュールＭのフレーム２００を筐体１０の第１縁部１２ａに上記ネジ止め、接着及び／又は嵌め合い等によって固定する。
【００４４】
以下、一又は複数であるの突起５００を備えたモジュールＭを、収容孔１１、第１縁部１２ａ、一つの係合孔１３及びその第３縁部１４を備えた筐体１０に取り付ける方法について説明する。以下、この方法を第２取付方法とも称する。
筐体１０及びモジュールＭを用意する。モジュールＭを、一又は複数の突起５００が筐体１０の係合孔１３の第３縁部１４のＺ’方向側へ向くようにＺ’Ｙ方向に傾斜させ、その状態で、モジュールＭの自重で垂れ下がった一又は複数の接続線３００を筐体１０の収容孔１１内に挿入させる。その後、一又は複数の突起５００を、筐体１０の収容孔１１内に挿入させ、筐体１０の係合孔１３内に挿入し、且つ係合孔１３の第３縁部１４のＺ’方向側に配置させる。この状態を維持しつつ、モジュールＭを筐体１０の収容孔１１内に部分的に収容させると共に、モジュールＭのフレーム２００の当接面２０１を筐体１０の収容孔１１の第１縁部１２ａに当接させる。これにより、第１縁部１２ａ及び第３縁部１４が、当接面２０１と一又は複数の突起５００との間に位置する。その後、モジュールＭのフレーム２００を筐体１０の第１縁部１２ａに上記ネジ止め、接着及び／又は嵌め合い等によって固定する。
【００４５】
以下、複数であるの突起５００を備えたモジュールＭを、収容孔１１、第１縁部１２ａ、複数の係合孔１３及びその第３縁部１４を備えた筐体１０に取り付ける方法について説明する。以下、この方法を第３取付方法とも称する。
筐体１０及びモジュールＭを用意する。モジュールＭを、複数の突起５００が筐体１０の複数の係合孔１３の第３縁部１４のＺ’方向側へ各々向くようにＺ’Ｙ方向に傾斜させ、その状態で、モジュールＭの自重で垂れ下がった一又は複数の接続線３００を筐体１０の収容孔１１内に挿入させる。その後、複数の突起５００を、筐体１０の収容孔１１内に挿入させ、筐体１０の複数の係合孔１３内に各々挿入し、且つ複数の係合孔１３の第３縁部１４のＺ’方向側に各々配置させる。この状態を維持しつつ、モジュールＭを筐体１０の収容孔１１内に部分的に収容させると共に、モジュールＭのフレーム２００の当接面２０１を筐体１０の収容孔１１の第１縁部１２ａに当接させる。これにより、第１縁部１２ａ及び複数の第３縁部１４が、当接面２０１と一又は複数の突起５００との間に位置する。その後、モジュールＭのフレーム２００を筐体１０の第１縁部１２ａに上記ネジ止め、接着及び／又は嵌め合い等によって固定する。
【００４６】
一方、上記の通りモジュールＭをＺ’Ｙ方向に傾斜させずに、モジュールＭを筐体１０に対してＺ’方向に接近させ、モジュールＭのフレーム２００の当接面２０１を筐体１０の第１縁部１２ａに対してＺ方向側から当接させるようとすると、一又は複数の突起５００が、一又は複数の接続線３００よりも先に筐体１０の第１縁部１２ａに当接する。このようにして一又は複数の接続線３００が当接面２０１と筐体１０の第１縁部１２ａとの間及び／又はモジュールＭと筐体１０の収容孔１１の側壁との間に挟み込まれる可能性が低減される。
【００４７】
以下、本発明の実施例１に係る制御装置Ｃについて図７を参照しつつ説明する。制御装置Ｃは、上記した何れかの態様の取付構造Ｓと、主基板１と、制御部２とを備えている。取付構造ＳのモジュールＭの少なくとも一つの接続線３００は、主基板１に接続されている。したがって、制御部２は、主基板１及び少なくとも一つの接続線３００を介してモジュールＭの機能部１００に接続されている。制御部２は、機能部１００に対して信号（例えば、駆動信号）を出力及び／又は機能部１００からの信号を受信し、当該信号に基づいて処理を行う構成となっている。
【００４８】
なお、機能部１００がスピーカーである場合、筐体１０は車両用計測の筐体であり、制御装置Ｃの制御部２は、シートベルトの未装着状態、車両のドアが正しく閉まっていない状態（所謂、半ドア状態）又は車両が所定以上のスピードで走行している状態など報せるための駆動信号を機能部１００に出力する構成とすることが可能であるが、これに限定されるものではない。
【００４９】
以上のようなモジュールＭ、取付構造Ｓ及び制御装置Ｃは、以下の技術的特徴及び効果を奏する。
少なくとも一つの接続線３００が当接面２０１と筐体１０の第１縁部１２ａとの間及び／又はモジュールＭと筐体１０の収容孔１１の側壁との間に挟み込まれる可能性（以下、少なくとも一つの接続線３００の挟み込みの可能性ともいう。）が低減される。その理由は以下の通りである。少なくとも一つの突起５００が、Ｙ方向に導出された状態の少なくとも一つの接続線３００に対して少なくとも部分的にＺ方向側に位置している。換言すると、Ｙ方向に導出された状態の少なくとも一つの接続線３００が少なくとも一つの突起５００と当接面２０１の間に配置されていない。このため、上記の通りモジュールＭをＺ’Ｙ方向に傾斜させ、少なくとも一つの接続線３００を筐体１０の収容孔１１に挿入し、少なくとも一つの突起５００を筐体１０の第２縁部１２ｂ又は第３縁部１４のＺ’方向側に配置させてモジュールＭを筐体１０に取り付けることにより、少なくとも一つの接続線３００の挟み込みの可能性が低減される。
一方、上記の通りモジュールＭをＺ’Ｙ方向に傾斜させずに、モジュールＭを筐体１０に取り付けようとすると、少なくとも一つの突起５００が、Ｙ方向に導出された状態の少なくとも一つの接続線３００に対して少なくとも部分的に第１方向側に配置されているため、少なくとも一つの接続線３００が当接面２０１と筐体１０の第１縁部１２ａとの間に挟み込まれる前に、少なくとも一つの突起５００が、筐体１０の第１縁部１２ａに当接する。よって、少なくとも一つの接続線３００が当接面２０１と筐体１０の第１縁部１２ａとの間に挟み込まれる可能性が低減される。
少なくとも一つの突起５００がＹ方向に導出された状態の少なくとも一つの接続線３００に対して部分的にＺ’方向側に位置している場合、少なくとも一つの突起５００が少なくとも一つの接続線３００よりも先に第１縁部１２ａに当接するので、少なくとも一つの接続線３００が当接面２０１と筐体１０の第１縁部１２ａとの間に挟み込まれる可能性がより低減される。
しかも、少なくとも一つの突起５００が、Ｙ方向においてフレーム２００の交線２０３の内側から外側に延びている場合、上記の通りモジュールＭをＺ’Ｙ方向に傾斜させずに、モジュールＭを筐体１０に取り付けようとすると、少なくとも一つの接続線３００が当接面２０１と筐体１０の第１縁部１２ａとの間に挟み込まれる前に、少なくとも一つの突起５００が少なくとも一つの接続線３００よりも先に第１縁部１２ａに当接し易くなる。
更に、モジュールＭが保持部６００を備えている場合、少なくとも一つの突起５００が少なくとも一つの接続線３００の被保持部３１０の近傍で被保持部３１０に対して少なくとも部分的にＺ方向側に配置されているため、上記の通りモジュールＭをＺ’Ｙ方向に傾斜させてモジュールＭを筐体１０に取り付けるときに、少なくとも一つの接続線３００の挟み込みの可能性がより低減される。
【００５０】
少なくとも一つの突起５００の対向面５１０が、対向面５１０と当接面２０１との間の距離がＹ方向にいくにしたがって漸次増大するように、湾曲又は傾斜している場合、前記距離がＹ方向にいくにしたがって漸次増大しているため、少なくとも一つの突起５００を筐体１０の第２縁部１２ｂ又は第３縁部１４のＺ方向側に配置させ易くなり、この配置時に、少なくとも一つの突起５００が筐体１０の第２縁部１２ｂ又は第３縁部１４に引っかかり難くなる。
【実施例２】
【００５１】
以下、本発明の実施例２を含む複数の実施例に係る取付構造Ｓ’について図８を参照しつつ説明する。図８には、実施例２の取付構造Ｓ’が示されている。図８にもＺ−Ｚ’方向及びＹ−Ｙ’方向が示されている。
【００５２】
取付構造Ｓ’は、その筐体１０の外形が取付構造Ｓの筐体１０の外形と相違し且つモジュールＭ’が、フレーム２００に代えて、基板７００（被固定部）を備えている点で相違する以外、取付構造Ｓと同じ構成とすることが可能である。以下、その相違点についてのみ詳しく説明し、取付構造Ｓと重複する説明は省略する。
【００５３】
取付構造Ｓ’の筐体１０は、その外形が取付構造Ｓの筐体１０の外形と相違するものの、上記した何れかの態様の筐体１０と同様の構成とすることが可能である。
【００５４】
基板７００は、単層基板又は多層基板である。多層基板は、複数の層が前記に積層されている。基板７００には、機能部１００が固定されている。例えば、基板７００は、基板７００のＺ’方向側の面に機能部１００が実装された構成とすることが可能である。又は、基板７００の複数の層のうちＺ−Ｚ’方向において隣り合う二つの層間（すなわち、基板７００内）で機能部１００が固定されていても良い。
【００５５】
基板７００は、本体部と、少なくとも一つのフランジとを有する構成とすることが可能である。本体部は、基板７００の機能部１００が固定される部分を有していると良い。本体部のＺ−Ｚ’方向の寸法は、少なくとも一つのフランジのＺ−Ｚ’方向の寸法よりも大きい。少なくとも一つのフランジは、本体部から少なくともＹ方向に延びている。例えば、少なくとも一つのフランジは、上記（ａ）〜（ｄ）の何れかと同様の構成とすることが可能であるし、図１Ａ〜図４Ｂに示すフランジ２３０と同様の構成とすることが可能である。
【００５６】
基板７００は、当接面７０１、外面７０２と、当接面７０１と外面７０２との交線７０３を更に有する。当接面７０１は、基板７００の筐体１０の第１縁部１２ａにＺ方向側から当接可能な面である。当接面７０１が筐体１０の第１縁部１２ａに当接した状態で、基板７００が第１縁部１２ａに上記固定手段によって固定されるようになっている。外面７０２は、当接面７０１の端からＺ方向側に立ち上がったフラット面、円弧面、凹面、凸面又は凹凸面等であって、Ｙ方向に面している。外面７０２は、当接面７０１に対して直角であっても良いし、ＺＹ方向又はＺＹ’方向に傾斜していても良い。なお、Ｚ−Ｚ’方向は、当接面７０１に略直交している。
【００５７】
基板７００が少なくとも一つのフランジを有していない場合、基板７００の外周部が上記当接面７０１、外面７０２及び交線７０３を有する構成とすることが可能である。
【００５８】
基板７００が少なくとも一つのフランジを有する場合、少なくとも一つのフランジは、当接面７０１、外面７０２及び交線７０３を有する構成とすることが可能である。基板７００の少なくとも一つのフランジの当接面７０１、外面７０２、交線７０３は、フレーム２００の少なくとも一つのフランジ２３０の上記した何れかの態様の当接面２０１、外面２０２、交線２０３とそれぞれ同様の構成とすることが可能である。
【００５９】
モジュールＭ’は、少なくとも一つの接続線３００を更に備えている。少なくとも一つの接続線３００は、フレーム２００の当接面２０１ではなく、基板７００の当接面７０１に対してＺ’方向側に配置されている以外、モジュールＭの上記した何れかの態様の少なくとも一つの接続線３００と同じ構成とすることが可能である。少なくとも一つの接続線３００は、機能部１００に直接的に接続されていても良いし、基板７００を介して間接的に接続されていても良い。なお、図８では、接続線３００は二つであって（図示一つ）、基板７００にそれぞれ接続され、基板７００を介して機能部１００に接続されている。
【００６０】
モジュールＭ’は、保持部６００を更に備えていても良い。保持部６００は、以下の相違点を除き、モジュールＭの上記した何れかの態様の保持部６００と同じ構成とすることが可能である。
保持部６００は、機能部１００又は基板７００に一体的に設けられている、又は、機能部１００又は基板７００と別体であって、機能部１００又は基板７００に上記固定手段で固定されることによって設けられている。
保持部６００は、基板７００の当接面７０１に対してＺ’方向側に配置されており、且つ一又は複数の接続線３００がＹ方向において基板７００の交線７０３の内側から外側へ導出されるように、一又は複数の接続線３００を部分的に保持している。
なお、保持部６００は省略可能である。
【００６１】
モジュールＭ’は、少なくとも一つの突起５００を更に備えている。少なくとも一つの突起５００は、以下の相違点を除き、モジュールＭの上記した何れかの態様の少なくとも一つの突起５００と同じ構成とすることが可能である。
少なくとも一つの突起５００は、機能部１００又は基板７００に一体的に設けられていても良いし、機能部１００又は基板７００と別体であって、機能部１００又は基板７００に上記固定手段で固定されることによって設けられていても良い。少なくとも一つの突起５００は、例えば、上記（ウ）及び以下の（エ）〜（オ）のうちの何れかの構成を有していても良い。
（エ）基板７００が本体部を有している場合、少なくとも一つの突起５００は、基板７００の本体部のＹ方向側の外面又はＺ’方向側の外面に設けられている。
（オ）少なくとも一つの突起５００は、基板７００の当接面７０１からＺ’方向に延びた第１部と、この第１部からＹ方向に延びた第２部とを有している。
なお、モジュールＭ’が保持部６００を備えている場合であっても、少なくとも一つの突起５００は、少なくとも一つの接続線３００の被保持部３１０の近傍で、（エ）又は（オ）の構成を取り得る。
【００６２】
少なくとも一つの突起５００は、基板７００の当接面７０１からＺ’方向側に間隔をあけて配置されている。少なくとも一つの突起５００から当接面７０１でのＺ−Ｚ’方向の距離Ｄ４は、筐体１０の第１縁部１２ａのＺ方向側の面から第２縁部１２ｂまでの距離Ｄ２又は第１縁部１２ａのＺ方向側の面から第３縁部１４までの距離Ｄ３（図５を借りて参照）と略同じ又は若干大きい。少なくとも一つの突起５００は、Ｙ方向において基板７００の交線７０３の内側から外側に延びている。
【００６３】
上記した何れかの態様のモジュールＭ’は、上記モジュールＭの第１〜第３取付方法の何れかと同様に、筐体１０に取り付けられる。ここでは、第１〜第３取付方法の各々において、フレーム２００、当接面２０１、外面２０２、交線２０３が、基板７００、当接面７０１、外面７０２、交線７０３に置き換えられることに留意されたい。
【００６４】
制御装置Ｃは、取付構造Ｓに代えて、取付構造Ｓ’を備えている以外、制御装置Ｃと同じ構成とすることが可能である。
【００６５】
以上のようなモジュールＭ’、取付構造Ｓ’及びこれを備えた制御装置Ｃは、上記したモジュールＭ、取付構造Ｓ及びこれを備えた制御装置Ｃと同様の技術的特徴及び効果を奏する。
【００６６】
なお、上記した取付構造、電子部品モジュール及び制御装置は、上記実施例に限定されるものではなく、特許請求の範囲の記載範囲において任意に設計変更することが可能である。以下、詳しく述べる。
【００６７】
上記何れかの態様の少なくとも一つの突起は、Ｙ方向において少なくとも部分的に延びていれば良い。よって、上記何れかの態様の少なくとも一つの突起は、部分的にＺＹ方向又はＺ’Ｙ方向に延びていても良い。この場合、ＺＹ方向又はＺ’Ｙ方向が、特許請求の範囲の第３方向に相当する。
【００６８】
本発明の筐体の少なくとも一つの係合部は、上記した係合孔１３の第３縁部１４だけに限定されない。例えば、少なくとも一つの係合部は、筐体１０の収容孔１１の側壁に設けられた係合凹部のＺ方向側の縁部、又は、筐体１０の収容孔１１の側壁からＹ’方向に延び且つ第１縁部１２ａに対してＺ’方向側に位置する係合凸部などであっても良い。当接面２０１が筐体１０の収容孔１１の第１縁部１２ａに当接した状態で、上記した何れかの態様の少なくとも一つの突起５００が、少なくとも一つの係合凹部のＺ方向側の縁部又は少なくとも一つの係合凸部に対してＺ’方向側に配置されるようになっていると良い。
【００６９】
なお、上記実施例の各態様及び設計変形例における取付構造、電子部品モジュール及び制御装置の各構成要素を構成する素材、形状、寸法、数及び配置等はその一例を説明したものであって、同様の機能を実現し得る限り任意に設計変更することが可能である。上記実施例の各態様及び設計変形例における取付方法における条件、数値や材料等はその一例を説明したものであって、同様の工程を実現し得る限り任意に設計変更することが可能である。なお、本発明のＺ方向（第１方向）は、本発明のフレーム又は基板の当接面に略直交する方向である限り任意に設定可能である。本発明のＺ’方向（第２方向）は、第１方向の反対方向である限り任意に設定可能である。本発明の第３方向は、第１方向及び第２方向に交差しており且つ第１方向及び第２方向が位置する平面上に位置しない限り任意に設定することができる。
【符号の説明】
【００７０】
Ｃ：制御装置
１：主基板
２：制御部
Ｓ、Ｓ’：取付構造
１０：筐体
１１：収容孔
１２ａ：第１縁部
１２ｂ：第２縁部
１３：係合孔
１４：第３縁部
Ｍ、Ｍ’：電子部品モジュール
１００：機能部
２００：フレーム（被固定部）
２０１：当接面
２０２：外面
２０３：交線
２１０：第１フレーム
２２０：第２フレーム
２３０：フランジ
３００：接続線
３１０：被保持部
４００：端子
５００：突起
５１０：対向面
６００：保持部
７００：基板（被固定部）
７０１：当接面
７０２：外面
７０３：交線
【図１Ａ】
2020150122.tif 000003
【図１Ｂ】
2020150122.tif 000004
【図１Ｃ】
2020150122.tif 000005
【図２Ａ】
2020150122.tif 000006
【図２Ｂ】
2020150122.tif 000007
【図３Ａ】
2020150122.tif 000008
【図３Ｂ】
2020150122.tif 000009
【図４Ａ】
2020150122.tif 000010
【図４Ｂ】
2020150122.tif 000011
【図５】
2020150122.tif 000012
【図６】
2020150122.tif 000013
【図７】
2020150122.tif 000014
【図８】
2020150122.tif 000015
【手続補正書】
【提出日】令和2年3月4日(2020.3.4)
【手続補正１】
【補正対象書類名】明細書
【補正対象項目名】０００７
【補正方法】変更
【補正の内容】
【０００７】
このような態様の電子部品モジュールによる場合、電子部品モジュールを、少なくとも一つの突起が筐体の収容孔の第２方向側の第２縁部又は収容孔の側壁に設けられた少なくとも一つの係合部へ向くように傾斜させ、その状態で、少なくとも一つの接続線を収容孔内に挿入させ、その後、少なくとも一つの突起を収容孔内に挿入させて、筐体の第２縁部又は係合部に対して第２方向側に配置させ、この状態を維持しつつ、電子部品モジュール
を収容孔内に部分的に収容させると共に、電子部品モジュールの当接面を筐体の収容孔の第１方向側の第１縁部に当接させる。このようにすれば、少なくとも一つの突起が第３方向に導出させた状態の少なくとも一つの接続線に対して少なくとも部分的に第１方向側に配置されているので、少なくとも一つの接続線が当接面と筐体の第１縁部との間及び／又は電子部品モジュールと収容孔の側壁との間に挟み込まれる可能性が低減される。
一方、前述の通り、電子部品モジュールを傾斜させずに、当接面を筐体の第１縁部に対して第１方向側から当接させようとすると、少なくとも一つの接続線が当接面と筐体の第１縁部との間に挟み込まれる前に、少なくとも一つの突起が、筐体の第１縁部に当接する。なぜなら、少なくとも一つの突起が、第３方向に導出された状態の少なくとも一つの接続線に対して少なくとも部分的に第１方向側に配置されているからである。よって、少なくとも一つの接続線が当接面と筐体の第１縁部との間に挟み込まれる可能性が低減される。
【手続補正２】
【補正対象書類名】明細書
【補正対象項目名】０００８
【補正方法】変更
【補正の内容】
【０００８】
少なくとも一つの突起は、第３方向に導出された状態の少なくとも一つの接続線に対して部分的に第２方向側に配置された構成とすることが可能である。このような態様の電子部品モジュールによる場合、電子部品モジュールを傾斜させずに当接面を筐体の第１縁部に対して第１方向側から当接させようとすると、少なくとも一つの突起が、少なくとも一つの接続線よりも先に筐体の第１縁部に当接し易くなる。なぜなら、少なくとも一つの突起が、第３方向に導出された状態の少なくとも一つの接続線に対して部分的に第１方向側に配置されているからである。よって、少なくとも一つの接続線が当接面と筐体の第１縁部との間に挟み込まれる可能性がより低減される。
【手続補正３】
【補正対象書類名】明細書
【補正対象項目名】０００９
【補正方法】変更
【補正の内容】
【０００９】
少なくとも一つの突起は、第３方向において被固定部の交線の内側から外側に延びた構成とすることが可能である。このような態様の電子部品モジュールによる場合、電子部品モジュールを傾斜させずに当接面を筐体の第１縁部に対して第１方向側から当接させようとすると、少なくとも一つの接続線が当接面と筐体の第１縁部との間に挟み込まれる前に、少なくとも一つの突起が筐体の第１縁部に当接し易くなる。なぜなら、少なくとも一つの突起が、第３方向に導出された状態の少なくとも一つの接続線に対して第３方向において被固定部の交線の内側から外側に延びているからである。
【手続補正４】
【補正対象書類名】明細書
【補正対象項目名】００２７
【補正方法】変更
【補正の内容】
【００２７】
機能部１００がフレーム２００内に収容されている場合、本体部は、例えば、以下の通り、フレーム２００のうちの機能部１００が収容される部分の少なくとも一部を有する構成とすることが可能である。
フレーム２００が上記（１）の構成である場合、第１フレーム２１０及び第２フレーム２２０の少なくとも一方が本体部を有する。第１フレーム２１０が本体部を有する場合、本体部は第１フレーム２１０が機能部１００を収容する部分の一部（例えば、第１収容凹部２１１）を有する構成とすることが可能である。第２フレーム２２０が本体部を有する場合、本体部は第２フレーム２２０が機能部１００を収容する部分の一部（例えば、第２収容凹部２２１及び開口２２２）を有する構成とすることが可能である。第１フレーム２１０及び第２フレーム２２０が本体部を有する場合、本体部が収容部Ａを有する構成とすると良い。
フレーム２００が上記（２）又は上記（３）の構成である場合、本体部が収容部Ａを有する構成とすると良い。
【手続補正５】
【補正対象書類名】明細書
【補正対象項目名】００４３
【補正方法】変更
【補正の内容】
【００４３】
以下、一又は複数の突起５００を備えたモジュールＭを、収容孔１１、第１縁部１２ａ及び第２縁部１２ｂを備えた筐体１０に取り付ける方法について説明する。以下、この方法を第１取付方法とも称する。
筐体１０及びモジュールＭを用意する。モジュールＭを、一又は複数の突起５００が筐体１０の第２縁部１２ｂのＺ’方向側へ向くようにＺ’方向及びＹ方向の成分を含む方向（以下、Ｚ’Ｙ方向とも称する。）に傾斜させ、その状態で、モジュールＭの自重で垂れ下がった一又は複数の接続線３００を筐体１０の収容孔１１内に挿入させる。その後、一又は複数の突起５００を、筐体１０の収容孔１１内に挿入させ、且つ筐体１０の第２縁部１２ｂのＺ’方向側に配置させる。この状態を維持しつつ、モジュールＭを筐体１０の収容孔１１内に部分的に収容させると共に、モジュールＭのフレーム２００の当接面２０１を筐体１０の収容孔１１の第１縁部１２ａに当接させる。これにより、第１縁部１２ａ及び第２縁部１２ｂが、当接面２０１と一又は複数の突起５００との間に位置する。その後、モジュールＭのフレーム２００を筐体１０の第１縁部１２ａに上記ネジ止め、接着及び／又は嵌め合い等によって固定する。
【手続補正６】
【補正対象書類名】明細書
【補正対象項目名】００４４
【補正方法】変更
【補正の内容】
【００４４】
以下、一又は複数の突起５００を備えたモジュールＭを、収容孔１１、第１縁部１２ａ、一つの係合孔１３及びその第３縁部１４を備えた筐体１０に取り付ける方法について説明する。以下、この方法を第２取付方法とも称する。
筐体１０及びモジュールＭを用意する。モジュールＭを、一又は複数の突起５００が筐体１０の係合孔１３の第３縁部１４のＺ’方向側へ向くようにＺ’Ｙ方向に傾斜させ、その状態で、モジュールＭの自重で垂れ下がった一又は複数の接続線３００を筐体１０の収容孔１１内に挿入させる。その後、一又は複数の突起５００を、筐体１０の収容孔１１内に挿入させ、筐体１０の係合孔１３内に挿入し、且つ係合孔１３の第３縁部１４のＺ’方向側に配置させる。この状態を維持しつつ、モジュールＭを筐体１０の収容孔１１内に部
分的に収容させると共に、モジュールＭのフレーム２００の当接面２０１を筐体１０の収容孔１１の第１縁部１２ａに当接させる。これにより、第１縁部１２ａ及び第３縁部１４が、当接面２０１と一又は複数の突起５００との間に位置する。その後、モジュールＭのフレーム２００を筐体１０の第１縁部１２ａに上記ネジ止め、接着及び／又は嵌め合い等によって固定する。
【手続補正７】
【補正対象書類名】明細書
【補正対象項目名】００４５
【補正方法】変更
【補正の内容】
【００４５】
以下、複数の突起５００を備えたモジュールＭを、収容孔１１、第１縁部１２ａ、複数の係合孔１３及びその第３縁部１４を備えた筐体１０に取り付ける方法について説明する。以下、この方法を第３取付方法とも称する。
筐体１０及びモジュールＭを用意する。モジュールＭを、複数の突起５００が筐体１０の複数の係合孔１３の第３縁部１４のＺ’方向側へ各々向くようにＺ’Ｙ方向に傾斜させ、その状態で、モジュールＭの自重で垂れ下がった一又は複数の接続線３００を筐体１０の収容孔１１内に挿入させる。その後、複数の突起５００を、筐体１０の収容孔１１内に挿入させ、筐体１０の複数の係合孔１３内に各々挿入し、且つ複数の係合孔１３の第３縁部１４のＺ’方向側に各々配置させる。この状態を維持しつつ、モジュールＭを筐体１０の収容孔１１内に部分的に収容させると共に、モジュールＭのフレーム２００の当接面２０１を筐体１０の収容孔１１の第１縁部１２ａに当接させる。これにより、第１縁部１２ａ及び複数の第３縁部１４が、当接面２０１と複数の突起５００との間に位置する。その後、モジュールＭのフレーム２００を筐体１０の第１縁部１２ａに上記ネジ止め、接着及び／又は嵌め合い等によって固定する。
【手続補正８】
【補正対象書類名】明細書
【補正対象項目名】００４６
【補正方法】変更
【補正の内容】
【００４６】
一方、上記の通りモジュールＭをＺ’Ｙ方向に傾斜させずに、モジュールＭを筐体１０に対してＺ’方向に接近させ、モジュールＭのフレーム２００の当接面２０１を筐体１０の第１縁部１２ａに対してＺ方向側から当接させようとすると、一又は複数の突起５００が、一又は複数の接続線３００よりも先に筐体１０の第１縁部１２ａに当接する。このようにして一又は複数の接続線３００が当接面２０１と筐体１０の第１縁部１２ａとの間及び／又はモジュールＭと筐体１０の収容孔１１の側壁との間に挟み込まれる可能性が低減される。
【手続補正９】
【補正対象書類名】明細書
【補正対象項目名】００４９
【補正方法】変更
【補正の内容】
【００４９】
以上のようなモジュールＭ、取付構造Ｓ及び制御装置Ｃは、以下の技術的特徴及び効果を奏する。
少なくとも一つの接続線３００が当接面２０１と筐体１０の第１縁部１２ａとの間及び／又はモジュールＭと筐体１０の収容孔１１の側壁との間に挟み込まれる可能性（以下、少なくとも一つの接続線３００の挟み込みの可能性ともいう。）が低減される。その理由は以下の通りである。少なくとも一つの突起５００が、Ｙ方向に導出された状態の少なくとも一つの接続線３００に対して少なくとも部分的にＺ方向側に位置している。換言する
と、Ｙ方向に導出された状態の少なくとも一つの接続線３００が少なくとも一つの突起５００と当接面２０１の間に配置されていない。このため、上記の通りモジュールＭをＺ’Ｙ方向に傾斜させ、少なくとも一つの接続線３００を筐体１０の収容孔１１に挿入し、少なくとも一つの突起５００を筐体１０の第２縁部１２ｂ又は第３縁部１４のＺ’方向側に配置させてモジュールＭを筐体１０に取り付けることにより、少なくとも一つの接続線３００の挟み込みの可能性が低減される。
一方、上記の通りモジュールＭをＺ’Ｙ方向に傾斜させずに、モジュールＭを筐体１０に取り付けようとすると、少なくとも一つの突起５００が、Ｙ方向に導出された状態の少なくとも一つの接続線３００に対して少なくとも部分的にＺ方向側に配置されているため、少なくとも一つの接続線３００が当接面２０１と筐体１０の第１縁部１２ａとの間に挟み込まれる前に、少なくとも一つの突起５００が、筐体１０の第１縁部１２ａに当接する。よって、少なくとも一つの接続線３００が当接面２０１と筐体１０の第１縁部１２ａとの間に挟み込まれる可能性が低減される。
少なくとも一つの突起５００がＹ方向に導出された状態の少なくとも一つの接続線３００に対して部分的にＺ’方向側に位置している場合、少なくとも一つの突起５００が少なくとも一つの接続線３００よりも先に第１縁部１２ａに当接するので、少なくとも一つの接続線３００が当接面２０１と筐体１０の第１縁部１２ａとの間に挟み込まれる可能性がより低減される。
しかも、少なくとも一つの突起５００が、Ｙ方向においてフレーム２００の交線２０３の内側から外側に延びている場合、上記の通りモジュールＭをＺ’Ｙ方向に傾斜させずに、モジュールＭを筐体１０に取り付けようとすると、少なくとも一つの接続線３００が当接面２０１と筐体１０の第１縁部１２ａとの間に挟み込まれる前に、少なくとも一つの突起５００が少なくとも一つの接続線３００よりも先に第１縁部１２ａに当接し易くなる。
更に、モジュールＭが保持部６００を備えている場合、少なくとも一つの突起５００が少なくとも一つの接続線３００の被保持部３１０の近傍で被保持部３１０に対して少なくとも部分的にＺ方向側に配置されているため、上記の通りモジュールＭをＺ’Ｙ方向に傾斜させてモジュールＭを筐体１０に取り付けるときに、少なくとも一つの接続線３００の挟み込みの可能性がより低減される。
【手続補正１０】
【補正対象書類名】明細書
【補正対象項目名】００５４
【補正方法】変更
【補正の内容】
【００５４】
基板７００は、単層基板又は多層基板である。多層基板は、複数の層が積層されている。基板７００には、機能部１００が固定されている。例えば、基板７００は、基板７００のＺ’方向側の面に機能部１００が実装された構成とすることが可能である。又は、基板７００の複数の層のうちＺ−Ｚ’方向において隣り合う二つの層間（すなわち、基板７００内）で機能部１００が固定されていても良い。
【手続補正１１】
【補正対象書類名】明細書
【補正対象項目名】００６４
【補正方法】変更
【補正の内容】
【００６４】
制御装置Ｃは、取付構造Ｓに代えて、取付構造Ｓ’を備えている以外、上記した制御装置Ｃと同じ構成とすることが可能である。
【手続補正１２】
【補正対象書類名】特許請求の範囲
【補正対象項目名】全文
【補正方法】変更
【補正の内容】
【特許請求の範囲】
【請求項１】
当接面、前記当接面の端から当該当接面に略直交する第１方向側に立ち上がった外面、及び前記当接面と前記外面との交線を有するフレーム又は基板である被固定部と、
前記被固定部内に収容又は前記被固定部に固定されており、且つ電子部品としての機能を発揮する機能部と、
可撓性を有し且つ前記機能部に電気的に接続された少なくとも一つの接続線と、
少なくとも一つの突起とを備えており、
前記少なくとも一つの接続線は、前記被固定部の前記当接面に対して前記第１方向の反対方向である第２方向側に配置されており且つ前記第１方向及び前記第２方向に交差する第３方向において前記被固定部の前記交線の内側から外側へ導出されるようになっており、
前記少なくとも一つの突起は、前記機能部又は前記被固定部に設けられており、前記第３方向において少なくとも部分的に延びており、且つ前記第３方向に導出させた状態の前記少なくとも一つの接続線に対して少なくとも部分的に前記第１方向側に配置されている電子部品モジュール。
【請求項２】
請求項１記載の電子部品モジュールにおいて、
前記少なくとも一つの突起は、前記第３方向に導出させた状態の前記少なくとも一つの接続線に対して部分的に前記第２方向側に配置されている電子部品モジュール。
【請求項３】
請求項１又は２記載の電子部品モジュールにおいて、
前記少なくとも一つの突起は、前記第３方向において前記被固定部の前記交線の内側から外側に延びている電子部品モジュール。
【請求項４】
請求項１〜３の何れかに記載の電子部品モジュールにおいて、
前記被固定部は、前記当接面、前記外面及び前記交線を有するフランジを更に有している電子部品モジュール。
【請求項５】
請求項１〜４の何れかに記載の電子部品モジュールにおいて、
前記当接面に対して前記第２方向側に配置された保持部を更に備えており、
前記保持部は、前記少なくとも一つの接続線が前記第３方向において前記交線の内側から外側へ導出されるように、前記少なくとも一つの接続線を部分的に保持しており、
前記少なくとも一つの接続線は、前記保持部に保持される被保持部を有しており、
前記少なくとも一つの突起は、前記少なくとも一つの接続線の前記被保持部の近傍で、前記少なくとも一つの接続線の前記被保持部に対して少なくとも部分的に前記第１方向側に配置されている電子部品モジュール。
【請求項６】
請求項５記載の電子部品モジュールにおいて、
前記保持部は、前記被固定部に設けられており、
前記少なくとも一つの突起は、前記機能部又は前記被固定部ではなく、前記保持部に設けられている電子部品モジュール。
【請求項７】
請求項１〜６の何れかに記載の電子部品モジュールにおいて、
前記少なくとも一つの接続線は、複数であり、
前記少なくとも一つの突起が前記複数の接続線の間に配置されている電子部品モジュール。
【請求項８】
請求項１〜６の何れかに記載の電子部品モジュールにおいて、
前記少なくとも一つの突起は、二つであって、前記少なくとも一つの接続線の両側に配置されている電子部品モジュール。
【請求項９】
請求項１〜８の何れかに記載の電子部品モジュールにおいて、
前記少なくとも一つの突起は、前記当接面に対向する対向面を有しており、前記少なくとも一つの突起の前記対向面は、当該対向面と前記当接面との間の距離が前記第３方向に
いくにしたがって漸次増大するように、湾曲又は傾斜している電子部品モジュール。
【請求項１０】
請求項１〜９の何れかに記載の電子部品モジュールと、
筐体とを備えており、
前記筐体は、前記第１方向側に開口した収容孔と、
前記収容孔の前記第１方向側の第１縁部と、
前記収容孔の前記第２方向側の第２縁部とを有しており、
前記電子部品モジュールが前記収容孔に前記第１方向側から部分的に収容され、前記電子部品モジュールの前記当接面が前記収容孔の前記第１縁部に前記第１方向側から当接した状態で、前記第１縁部及び前記第２縁部が、前記当接面と前記少なくとも一つの突起との間に位置する電子部品モジュールと筐体との取付構造。
【請求項１１】
請求項１〜９の何れかに記載の電子部品モジュールと、
筐体とを備えており、
前記筐体は、前記第１方向側に開口した収容孔と、
前記収容孔の前記第１方向側の第１縁部と、
前記収容孔の側壁に設けられており且つ前記第１縁部に対して前記第２方向側に位置する少なくとも一つの係合部とを有しており、
前記電子部品モジュールが前記収容孔に前記第１方向側から部分的に収容され、前記電子部品モジュールの前記当接面が前記収容孔の前記第１縁部に前記第１方向側から当接した状態で、前記第１縁部及び前記係合部が、前記当接面と前記少なくとも一つの突起との間に位置する電子部品モジュールと筐体との取付構造。
【請求項１２】
請求項１０又は１１記載の電子部品モジュールと筐体との取付構造と、
前記筐体に対して前記第２方向側に配置されており且つ前記電子部品モジュールの少なくとも一つの接続線に接続された主基板と、
前記主基板上に実装されており、且つ前記主基板及び前記少なくとも一つの接続線を介して前記電子部品モジュールの前記機能部に対して信号を出力及び／又は前記機能部からの信号を受信する制御部とを備えている制御装置。